(57)【要約】【課題】遊技盤面の打ち球の流下の進路を障害する構造物で、電飾用の電源の光が透明材の柱部と半透明材のパイプ部と光反射板を照射することで、前記光反射板の反射光が増加された前記パイプ部と本体とが採光し、前記本体にイルミネーション効果を醸し出しだすルミバーを提供すること。【解決手段】透明材の取付板１の前面にほぼ円筒状の突設された本体２の挿入孔３に、該取付板１の後側に隣接する、半透明材のカバー体１２の前面に突設したパイプ部９のローレットを施した挿通孔９の下側にメッキを施した光反射板７を嵌入して、カバー体１２と一体化させたものを挿入孔３に差込み、該カバー体１２の後側にコネクター付１６ＬＥＤ１５基板１４を配し、該基板１４後面の支持孔１７からビス１８により取付板１とカバー体１２とを固着させた構成で、遊技盤面ａの前面を流下するパチンコ球の進路を障害する構造物であり、電飾用のＬＥＤ１５の光が円柱部４とパイプ部ｇと光反射板７を照射し、該光反射板の反射光はパイプ部８に供給され、透明材の取付板１の本体２を光彩させる。【選択図】                図２
2004195172.tif 000002
【特許請求の範囲】
【請求項１】
遊技盤面に取り付ける透明材の取付板は、前面の適宜な場所に任意大の一端が開口した挿入孔を設けた中空で中心部に円柱部を有した円筒状の本体を突設し、該取付板の後側に配置する半透明材の後端が開口されたほぼ円筒状のカバー体は、前面の中央部に下端が開放する挿通孔を開設し一方の面にローレットを施したパイプ部を突設し、該パイプ部の下端の開放部に光反射板を嵌込み前記カバー体と一体化したものを、前記本体の挿入孔に挿込み、該カバー体の後側に光源を備えた基板を配し、該基板と前記取付板と前記カバー体が連接して固着する構成で有り、前記光源の光を、前記パイプ部と該パイプ部に供給する前記光反射板と前記円柱部が採光して反照するこで、前記本体が電飾効果を醸し出すことを特徴とするパチンコ機のルミバー。
【発明の詳細な説明】
【０００１】
【発明の属する技術分野】
本発明、遊技盤面の打ち球の流下の進路を障害する構造物で、光源の光を利用し光彩を放つパチンコ機のルミバーに関する。
【０００２】
【従来の技術】
従来、周知のようにパチンコ機の遊技盤面には打ち球の進路を誘導する釘と電飾を付加したの役物や装置類の障害構造物が取り付けられてあり、電飾の光彩は遊技盤面に水平方向に光源が設けられ、前方のガラス面に垂直方向に突設した光源の光を利用する発光物の内蔵はなかった。
【０００３】
【発明が解決しようとする課題】
上記した従来のパチンコ機の遊技盤面で打ち球が接触する場所において、本発明は遊技盤面の打ち球が接触する一部の釘の代替や役モノと連接してルミバーを取付け配置することで、ＬＥＤが点灯した光を光反射板を用い有効に活用しパイプ部と本体に光彩を放させることで、遊技の照明効果による快よさで心が癒される事と、取付板の前面に数個の本体を突設して広面積に亙り遊技盤面の釘の代替に使用する場合には、取付け取外しが容易なため解体作業の高効率化にも貢献できるパチンコ機のルミバーを提供することを目的とするものである。
【０００４】
【課題を解決するための手段】
かかる目的を達成するために、請求項１記載の発明に係るパチンコ機の打ち球の流下の進路の障害となり、ＬＥＤが点灯しときの光を透明材の円柱部と半透明材のパイプ部とメッキを施した光反射板を反照させ光彩を放させるルミバーは、遊技盤面の構造物として遊技盤面に取り付けられる透明材の取付板は、前面に打ち球が接触する適宜の場所に所定大で前端が開閉した挿入孔と、該挿入孔の中心部に前記円柱部を有したほぼ円筒状の本体を突設させ、後側に半透明材のカバー体で前面に突設された、ほぼ円筒状で下端が開放した挿通孔を開設し一方面がローレットを施した前記パイプ部を突設し、該パイプ部の下端の開放部に前方より、該パイプ部に反照の光を供給する丸板状でメッキを施した光反射板を嵌入し受溝で支持し、前記カバー体と一体化したものを、前記本体の挿入孔に挿込み前記本体と接合し、該カバー体の後側にコネクター付ＬＥＤ基板を配置したものを、該基板の支持孔より連接した前記カバー体の支持受部と前記本体の支持突起部を螺締するビスで固着させる構成で、前記ＬＥＤが点灯したときの光が前記円柱部と前記パイプ部と前記光反射板に照射することを特徴とし、従来より遊技のイルミネーション効果による魅惑的な面白さを増大させるこができ、また、前記取付板のイルミネーションを醸し出す前記本体部を増加して、広面積に亙り遊技盤面の一部分の釘の代替品に使用された場合には、取外し作業の高効率化を得る。
【０００５】
【発明の実施の形態】
以下に、本発明に係るパチンコ機のルミバーの実施の形態を図面と共に説明する。図１は本発明に係るルミバーの斜視図、図２はその一部を破断して示す斜視図、図３はその一部を中央縦断して示す側面図である、図４はその分解斜視図である。１は後記するパチンコ機の遊技盤ａ面に取り付けられる取付板であり、該取付板１の前面の適宜な場所に任意大の前端が開閉した挿入孔３と該挿入孔３の中心部に円柱部４を有したほぼ円筒状の本体２を突設し、後面の上方に支持突起５を突設し、下方に定置止６を突設し、該取付板の後側に配置する後端が開口されたほぼ円筒状のカバー体１２は、下方に定置孔１１を開設し、前面の下方に受溝１０と中央部に下端が開放した挿通孔９を開設したほぼ円筒状で内面がローレットを施したパイプ部８を突設し、後面の上端に支持受１３を設け、該パイプ部８の下端の開放部に有した前記受溝１０に丸板状でメッキを施した光反射板７を嵌入して前記カバー体１２と一体化し、前記本体２の前記挿入孔３に挿込み、前記定置止６と前記定置孔１１を噛合せ隣接し、該カバー体の後側に配置するコネクター付１６ＬＥＤ１５基板１４の後面の上方に開設した支持孔１７より連接した前記支持突起５と前記支持受１３を螺締するビス１８で固着する構造である。
【０００６】
本発明に係わるパチンコ機のルミバーは上記構成よりなり、遊技盤面ａの前面を流下するパチンコ球の進路を障害する構造物で、ＬＥＤ１５の点灯した光が透明材の円柱部４と半透明材のパイプ部８と光反射板７を照射し、該光反射板７は前記パイプ部８に反射光を再反照して明るさ増させ、透明材の取付板１の本体２を光彩させる事で、イルミネーション効果による遊技の魅惑的な面白さを増大させるこができる。
【０００７】
【発明の作用及び効果】
以上、述べたように本発明に係るパチンコ機のルミバーは、遊技盤面に取り付ける透明材の取付板の前面に突設の円筒状の本体が打ち球をはね返し、ＬＥＤの点灯した光が透明材の円柱部と半透明材のパイプ部とメッキを施した光反射板を照射することで、該光反射板の反射光が増加された前記パイプ部と前記本体が採光し、前記本体にイルミネーション効果を醸し出しだすことで遊技者に与える印象が良いことと、装置の取外しが容易なため、前記取付板の前面のイルミネーションを醸し出す前記本体部を増加して、広面積に亙り遊技盤面釘の一部分の代替に使用した場合は解体作業の高効率化で貢献できる。
【図面の簡単な説明】
【図１】本発明に係るルミバーの斜視図。
【図２】同一部を破断して示す斜視図。
【図３】同一部を中央縦断して示す側面図。
【図４】同分解斜視図。
【符号の説明】
１    取付板
２    本体
４    円柱部
７    光反射板
８    パイプ部
１２  カバー体
１５  ＬＥＤ
１４  基板
ａ    遊技盤
【図１】
2004195172.tif 000003
【図２】
2004195172.tif 000004
【図３】
2004195172.tif 000005
【図４】
2004195172.tif 000006